(57)【要約】    【課題】  簡易に印刷物の原本性等を認証する。    【解決手段】  印刷物認証システム１００は印刷装置２００および印刷物検証装置３００を含んで構成される。印刷装置２００は、磁性素材を漉き込んだ用紙Ｐ１を用い、本体印刷画像データに基づいてゼログラフ法等により用紙Ｐ１状に本体画像を形成するとともに、用紙Ｐ１の磁性素材の分布に応じて決定される識別情報に対応する識別画像情報も用紙Ｐ１上に形成する。印刷装置２００で印刷された印刷物は印刷物検証装置３００でその真正を検証される。印刷物検証装置３００は、印刷物の用紙に含まれる磁性素材の分布に基づいて磁気的な識別情報を読み取り、また、印刷物の識別情報画像を読み取り、光学的な識別情報を抽出する。磁気的な識別情報と光学的な識別情報とを突き合わせて両者が対応するかどうかを判別し、対応する場合にはそれが真正であると判別する。【選択図】  図１
2007083540.tif 000002
【特許請求の範囲】
【請求項１】
印刷媒体に磁気的に担持されている識別情報を検知する磁気的識別情報検知手段と、
上記印刷媒体に本体画像を形成する本体画像形成手段と、
上記識別情報検知手段が検知した上記識別情報に対応する画像を上記印刷媒体の表面に形成する識別情報画像形成手段とを有することを特徴とする印刷装置。
【請求項２】
上記本体画像形成手段と上記識別情報画像形成手段とは同一の画像形成手段である請求項１記載の印刷装置。
【請求項３】
上記識別情報は、印刷媒体に担持されている磁性素材の分布に対応したものである請求項１または２記載の印刷装置。
【請求項４】
上記光学的な識別情報は上記磁気的識別情報と所定の付加情報とから生成される請求項１、２または３記載の印刷装置。
【請求項５】
印刷物に磁気的に担持されている識別情報を検知する磁気的識別情報検知手段と、
上記印刷物に光学的に担持されている識別情報画像に基づいて対応する識別番号を検知する光学的識別情報検知手段と、
上記磁気的識別情報検知手段が検知した識別情報と上記光学的識別情報検知手段が検知した識別情報を比較する比較手段とを有することを特徴とする印刷物検証装置。
【請求項６】
上記比較手段の比較結果が、両識別情報が対応するものであることを表示したときに上記印刷物が原本であると検証する請求項５記載の印刷物検証装置。
【請求項７】
上記比較手段の比較結果が、両識別情報が対応するものでないことを表示したときに上記印刷物の光学的複製を禁止する請求項５または６記載の印刷物検証装置。
【請求項８】
上記光学的な識別情報は上記磁気的識別情報と所定の付加情報とから生成される請求項５〜７のいずれかに記載の印刷装置。
【請求項９】
印刷装置と印刷物検証装置とを有し、印刷物が上記印刷装置により印刷されたことを認証する印刷物認証システムにおいて、
上記印刷装置は、
印刷媒体に磁気的に担持されている識別情報を検知する磁気的識別情報検知手段と、
上記印刷媒体に本体画像を形成する本体画像形成手段と、
上記識別情報検知手段が検知した上記識別情報に対応する画像を上記印刷媒体の表面に形成する識別情報画像形成手段とを有し、
上記印刷物検証装置は、
印刷物に磁気的に担持されている識別情報を検知する磁気的識別情報検知手段と、
上記印刷物に光学的に担持されている識別情報画像に基づいて対応する識別番号を検知する光学的識別情報検知手段と、
上記磁気的識別情報検知手段が検知した識別情報と上記光学的識別情報検知手段が検知した識別情報を比較する比較手段とを有することを特徴とする印刷物認証システム。
【請求項１０】
上記光学的な識別情報は上記磁気的識別情報と所定の付加情報とから生成される請求項９記載の印刷物認証システム。
【請求項１１】
磁気的識別情報検知手段が、印刷媒体に磁気的に担持されている識別情報を検知するステップと、
画像形成手段が、上記印刷媒体に画像を形成するステップと、
識別情報画像形成手段が、上記識別情報検知手段が検知した上記識別情報に対応する画像を上記印刷媒体の表面に形成するステップとを有することを特徴とする印刷方法。
【請求項１２】
磁気的識別情報検知手段が、印刷物に磁気的に担持されている識別情報を検知するステップと、
光学的識別情報検知手段が上記印刷物に光学的に担持されている識別情報画像に基づいて対応する識別番号を検知するステップと、
上記磁気的識別情報検知手段が検知した識別情報と上記光学的識別情報検知手段が検知した識別情報とを比較手段が比較するステップとを有することを特徴とする印刷物検証方法。
【発明の詳細な説明】
【技術分野】
【０００１】
この発明は、印刷物の原本性等を認証する印刷物認証技術に関する。
【背景技術】
【０００２】
印刷物を形成するときに識別番号（二次元バーコード等）を付加しておき、その識別番号に基づいて後の複製や原本性の証明を行ない技術が提案されている（特許文献１）。この提案では、印刷物に付与した識別番号に複製可能、原本等の情報をデータベースにより紐付けておき、複製制御や、原本認証を行なえるようにしている。
【０００３】
しかしながら、この手法では、データベースにアクセスしなければ原本認証や複製制御を行なうことができない。
【特許文献１】特開２００１−２６５１８３公報
【発明の開示】
【発明が解決しようとする課題】
【０００４】
この発明は、以上の事情を考慮してなされたものであり、データベースにアクセスすることなく簡易に原本認証や複製制御を行なえる印刷物認証技術を提供することを目的としている。
【課題を解決するための手段】
【０００５】
この発明によれば、上述の目的を達成するために、特許請求の範囲に記載のとおりの構成を採用している。ここでは、発明を詳細に説明するのに先だって、特許請求の範囲の記載について補充的に説明を行なっておく。なお、理解を容易にするために、後述する実施例の各部に付した符号を付記するが、これはこの発明の技術的な範囲を限定する趣旨でないことを理解されたい。
【０００６】
すなわち、この発明の一側面によれば、上述の目的を達成するために、印刷物認証システム（１００）を下記の印刷装置（２００）と印刷物検証装置（３００）とを含んで構成し、印刷物が上記印刷装置により印刷されたことを認証するようにしている。上記印刷装置（２００）は：印刷媒体に磁気的に担持されている識別情報を検知する磁気的識別情報検知手段（２０２）と；上記印刷媒体に本体画像を形成する本体画像形成手段（２０３）と；上記識別情報検知手段が検知した上記識別情報に対応する画像を上記印刷媒体の表面に形成する識別情報画像形成手段（２０３）とを含んで構成される。上記印刷物検証装置（３００）は：印刷物に磁気的に担持されている識別情報を検知する磁気的識別情報検知手段（３０３）と；上記印刷物に光学的に担持されている識別情報画像に基づいて対応する識別番号を検知する光学的識別情報検知手段（３０２）と；上記磁気的識別情報検知手段が検知した識別情報と上記光学的識別情報検知手段が検知した識別情報を比較する比較手段（３０４）とを含んで構成される。
【０００７】
この構成においては、印刷装置が印刷物に形成した識別画像情報と印刷物が磁気的に担持している識別情報とを突き合わせて印刷物の認証を行なえる。認証は例えば原本性の認証や複製制御である。
【０００８】
この発明の他の側面によれば、上述の目的を達成するために、印刷装置に：印刷媒体に磁気的に担持されている識別情報を検知する磁気的識別情報検知手段と；上記印刷媒体に本体画像を形成する本体画像形成手段と；上記識別情報検知手段が検知した上記識別情報に対応する画像を上記印刷媒体の表面に形成する識別情報画像形成手段とを設けている。
【０００９】
この構成においては、印刷物認証用の識別情報画像を形成する事ができ、これを用いて後に印刷物の認証を行なえる。
【００１０】
この構成において、上記本体画像形成手段と上記識別情報画像形成手段とは典型的には同一の画像形成手段である。本体画像が形成されない領域に識別情報画像を形成することが好ましい。識別情報画像は、通常のバーコード、２次元バーコード、ＧＲＩＦコード、ステガノ情報、位置情報であるが、これに限定されない。
【００１１】
不可視ＵＶ材料を用いて印刷しても良い。
【００１２】
また、上記識別情報は、例えば、印刷媒体に担持されている磁性素材の分布に対応したものである。磁性素材は、交番磁界が印可されたときに磁化反転によりパルス上の磁界を生成するものが好ましい。磁気材料としては保持力が小さくて大バルクハウゼン特性を有するものが好ましい。磁性素体の形状は典型的にはワイヤ状であり、印刷媒体に漉きこまれて容易に分離できないものであるが、これに限定されない。
【００１３】
上記識別情報はＲＦＩＤタグに書き込まれたものでもよい。この場合、ＲＦＩＤタグを印刷媒体に固着しておく。
【００１４】
また、上記光学的な識別情報は上記磁気的識別情報と所定の付加情報とから生成されてもよい。付加情報は、印刷装置のＩＤ、後処理における制御等の情報を含むがこれに限定されない。要するに後の処理で利用できるものであれば、どのような者でも良い。上記光学的な識別情報は磁気的な識別情報と対応関係が判別できれば良く、少なくとも付加情報の除いた部分は、ハッシュ等の処理を行なったものでも良い。この場合、比較時に磁気的識別情報について同等の処理を行なえば良い。
【００１５】
また、この発明のさらに他の側面によれば、上述の目的を達成するために、印刷物検証装置に：印刷物に磁気的に担持されている識別情報を検知する磁気的識別情報検知手段と；上記印刷物に光学的に担持されている識別情報画像に基づいて対応する識別番号を検知する光学的識別情報検知手段と；上記磁気的識別情報検知手段が検知した識別情報と上記光学的識別情報検知手段が検知した識別情報を比較する比較手段とを設けている。
【００１６】
この構成においては、光学的識別情報と磁気的識別情報とを突き合わせて印刷物の検証を行なうことができる。
【００１７】
たとえば、上記比較手段の比較結果が、両識別情報が対応するものであることを表示したときに上記印刷物が原本であると検証する。あるいは、上記比較手段の比較結果が、両識別情報が対応するものでないことを表示したときに上記印刷物の光学的複製を禁止する。
【００１８】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００１９】
この発明の上述の側面および他の側面は特許請求の範囲に記載され以下実施例を用いて詳述される。
【発明の効果】
【００２０】
この発明によれば、簡易に原本認証や複製制御を行なえる印刷物認証技術を提供できる。
【発明を実施するための最良の形態】
【００２１】
以下、この発明の実施例について説明する。
【００２２】
図１は、この発明の実施例の印刷物認証システム１００を模式的に示しており、この図において、印刷物認証システム１００は印刷装置２００および印刷物検証装置３００を含んで構成される。図では印刷装置２００および印刷物検証装置３００を１つずつしか示さないが、通常複数設けられる。
【００２３】
印刷装置２００は、図２（ａ）に示すような磁性素材を漉き込んだ用紙Ｐ１を用い、本体印刷画像データに基づいてゼログラフ法等により用紙Ｐ１状に本体画像を形成するとともに、用紙Ｐ１の磁性素材の分布に応じて決定される識別情報に対応する識別画像情報も用紙Ｐ１上に形成する。図２（ｂ）は本体画像Ｉｍおよび識別情報画像Ｉｉの印刷された用紙Ｐ２の例を示す。識別情報画像Ｉｉは、典型的には二次元バーコードであるが、これに限定されない。ＧＲＩＦコード、通常のバーコード、ステガノ情報、位置情報（分布の位置）等、任意の手法を採用できる。ＵＶ印刷材料で不可視的に印刷しても良い。
【００２４】
印刷装置２００で印刷された印刷物は印刷物検証装置３００でその真正を検証される。印刷物検証装置３００は、印刷物の用紙に含まれる磁性素材の分布に基づいて磁気的な識別情報を読み取り、また、印刷物の識別情報画像を読み取り、光学的な識別情報を抽出する。そして、磁気的な識別情報と光学的な識別情報とを突き合わせて両者が対応するかどうかを判別し、対応する場合にはそれが真正であると判別して原本性を判定し、また複製を許可する。
【００２５】
なお、識別情報画像は、識別情報のみから生成されても良いが、図３に示すように識別情報と付加情報とを含んで構成してもよい。付加情報は印刷装置２００のＩＤや、後の複製等の制御の情報である。識別情報や付加情報はハッシュ等でコード化されてもよい。
【００２６】
図４は印刷装置２００の構成例を示している。印刷装置２００は、例えば通常のゼログラフィ方式の画像形成装置の構成を含んで構成され、さらに、用紙Ｐ１の磁気的な識別情報の読み取りおよび対応する識別情報画像の形成を行なうようになっている。
【００２７】
図４において、印刷装置２００は用紙貯蔵部２０１、磁気的識別情報検出部２０２、画像形成部２０３を含んで構成されている。用紙貯蔵部２０１は図２（ａ）に示したような特殊な用紙Ｐ１を貯蔵しており、これが印刷時に磁気的識別情報検出部２０２および画像形成部２０３に搬送される。
【００２８】
磁気的識別情報検出部２０２は、まず、用紙が特殊の用紙Ｐ１であることを弁別し、その後、用紙Ｐ１の磁性素材の分布に応じた識別情報を判別する。用紙が特殊な用紙Ｐ１であることは用紙の搬送に伴う磁界の擾乱をピックアップコイルで検出することにより検出できる。用紙Ｐ１中の磁性素材の分布は磁気的識別情報検出部２０２の磁気素材検知部２０４（図５）により検知される。用紙Ｐ１の磁性素材は例えば保持力が小さい大バルクハウゼン特性を有するアモルファス磁性材料（例えばＣｏ−Ｆｅ−Ｎｉ−Ｓ−Ｓｉ）であり、励磁コイル駆動部２０４ｃにより励磁コイルにより交番磁界を発生させると、検知コイル２０４ｂに誘導された検知信号は磁性素材に応じてパルスを含む。検知部２０４ｄがこのパルスを弁別する。磁気的識別情報検出部２０２は検知部２０４ｄにより弁別された各磁気素材ごとのパスルに基づいて識別情報を生成する。用紙に漉き込まれる磁気素材の分布は用紙ごとに固有であるので、用紙ごとに一意の識別情報が生成される。
【００２９】
画像形成部２０３は、用紙Ｐ１に本体画像と識別情報画像とを通常のゼログラフィ手法により生成する。形成された印刷物は例えば図２（ｂ）に示すようなものであり、本体画像Ｉｍおよび識別情報画像Ｉｉとを含んでいる。
【００３０】
なお、この例では、磁気素材検出部２０４と用紙Ｐ１とが相対的に走査されるようになっている。典型的には磁気素材検出部２０４が固定で、用紙Ｐ１が移動するが、その逆でも良い。また、磁気素材検出部２０４を用紙Ｐ１全体をカバーするように複数分散させて設け、それぞれで各部の磁気素材を検出するようにしても良い。
【００３１】
図６は、印刷装置２００の動作例を示しており、その概要は以下のとおりである。
【００３２】
［ステップＳ１０］：用紙基準位置の設定を行なう。この基準位置が磁気素材の分布の基準となる。この設定は、例えば用紙到達時基準を利用したり、レジマーク位置基準を利用したりする。
［ステップＳ１１］：特殊用紙かどうかを判別する。特殊用紙でなければ印刷を中止する。特殊用紙であればステップＳ１２へ進む。
［ステップＳ１２］：磁性素材の分布情報を検出する。分布情報に基づいて識別情報を生成する。
［ステップＳ１３］：識別情報画像データを生成する。識別情報画像は、単純な位置情報データ、二次元バーコード、ＧＲＩＦコード、ステガノ情報等から選択された所望の手法で表される。
［ステップＳ１４］：本体印刷情報（原本印刷情報ともいう）と識別情報画像の画像情報とを合成する。
［ステップＳ１５］：本体印刷情報および識別情報画像を用紙上に画像形成する。
【００３３】
図７は、この実施例の印刷物認証システム１００の印刷物検証装置３００の構成例を示しており、この図において、印刷物検証装置３００は、画像情報読取部３０１、光学的識別情報検出部３０２、磁気的識別情報検出部３０３、一致判別部３０４等を含んで構成されている。印刷物検証装置３００は、通常の複写機として構成しても良く、この場合、破線で示すように、画像形成部３０５を含む。なお、符号３０６はプラテンガラスを示し、符号３０７はプラテンカバーを示し、符号３０８は磁気素材検出部を示す。磁気素材検出部３０８は図５の磁気素材検出部２０４に対応するものである。ただし、磁気素材検出部３０８は、固定の印刷物Ｐ２を走査することが好ましい。
【００３４】
画像情報読取部３０１は印刷物Ｐ２の画像を読み取る。光学的識別情報検出部３０２は印刷物Ｐ２の識別情報画像に基づいて識別情報および付加情報を復元する。磁気的識別情報検出部３０３は印刷装置２００の磁気的識別情報検出部２０２に対応するものであり、印刷物Ｐ２中の磁性素材の分布に応じた識別情報を検出する。一致判別部３０４は光学的識別情報検出部３０２および磁気的識別情報検出部３０３でそれぞれ検出された識別情報を突き合わせて対応するものかどうかを判別する。印刷装置２００で識別情報画像を生成する際にハッシュ関数処理等を行なっている場合には、磁気的識別情報検出部３０３の検出情報に同様にハッシュ関数処理等を行なう。
【００３５】
一致判別部３０４が両識別情報が対応するものであるときには原本性の検証が成功し、また複製等を許可する。例えば、一致判別部３０４からイネーブル信号が画像形成部３０５に供給され、画像形成が許可される。この画像形成等に、光学的識別情報検出部３０２で識別情報とともに検出した付加情報を用いても良い。例えば、複製枚数の制限等を行なう。
【００３６】
なお、この印刷物検証装置３００が、印刷装置２００の機能を併せ持ち、複製に識別情報画像を新たに形成してもよい。この場合、原本の識別情報をそのまま残しても良いし、画像処理で除去しても良い。原本の付加情報に原本の識別情報画像をどのように処理するかの制御情報を含ませても良い。複製に形成された新たな識別情報画像には、原本の複製であるという履歴情報を含ませても良い。
【００３７】
図８は印刷物検証装置３００の動作例を示しており、その概要は以下のとおりである。
【００３８】
［ステップＳ２０］：印刷物（用紙）の基準位置を検知する。
［ステップＳ２１］：印刷物の位置情報を読み込む。
［ステップＳ２２］： 印刷位置情報から印刷情報が含まれるかどうか判別する。印刷情報が含まれていない場合にはステップＳ２７へ進む。印刷情報を含む場合にはステップＳ２３ヘ進む。
［ステップＳ２３］：特殊用紙がどうか判別し、特殊用紙でなければステップＳ２７へ進み、特殊用紙であれば、ステップＳ２４へ進む。特殊用紙かどうかは磁界の擾乱等から検知できる。
［ステップＳ２４］：印刷物の磁性素材の分布を検出して磁気的識別情報を取得する。
［ステップＳ２５］：光学的識別情報と磁気的識別情報が対応するかどうか判別する。対応する場合にはステップＳ２６へ進み、対応しない場合にはステップＳ２７へ進む。
［ステップＳ２６］：原本性を保証する。
［ステップＳ２７］：原本でないと判断する。
【００３９】
以上で実施例の説明を終了する。
【００４０】
なお、この発明は上述の実施例に限定されるものではなくその趣旨を逸脱しない範囲で種々変更が可能である。例えば、上述例では、磁性素材を用いて用紙の識別情報を取得したが、ＲＦＩＤタグを用紙に貼付してこれを用紙の識別情報（付加情報も含む）としてもよい。また、磁性素材はワイヤ上のものに限らず、テープ状、その他の任意の形状でもよい。
【図面の簡単な説明】
【００４１】
【図１】この発明の実施例の印刷物認証システムを模式的に示す図である。
【図２】この実施例で用いる磁気素材を漉き込んだ特殊な用紙およびその用紙状に形成された本体画像および識別情報画像の配置例を説明する図である。
【図３】識別情報画像の元をなす光学的識別情報の例を説明する図である。
【図４】この実施例の印刷物認証システムで用いる印刷装置の構成例を説明する図である。
【図５】上述印刷装置の磁性素材検知部の構成例を説明する図である。
【図６】上述印刷装置の動作例を説明するフローチャートである。
【図７】この実施例の印刷物認証システムで用いる印刷物検証装置の構成例を説明する図である。
【図８】上述印刷物検証装置の動作例を説明するフローチャートである。
【符号の説明】
【００４２】
１００  印刷物認証システム
２００  印刷装置
２０１  用紙貯蔵部
２０２  磁気的識別情報検出部
２０３  画像形成部
２０４  磁気素材検出部
２０４ａ        励次コイル
２０４ｂ        検知コイル
２０４ｃ        励磁コイル駆動部
２０４ｄ        検知部
３００  印刷物検証装置
３０１  画像情報読取部
３０２  光学的識別情報検出部
３０３  磁気的識別情報検出部
３０４  一致判別部
３０５  画像形成部
３０６  プラテンガラス
３０７  プラテンカバー
３０８  磁気素材検出部
【図１】
2007083540.tif 000003
【図２】
2007083540.tif 000004
【図３】
2007083540.tif 000005
【図４】
2007083540.tif 000006
【図５】
2007083540.tif 000007
【図６】
2007083540.tif 000008
【図７】
2007083540.tif 000009
【図８】
2007083540.tif 000010